(57)【要約】【課題】帯結びの途中で帯を保持しておくことができ、帯の表面に巻いて簡単に止め付けることが可能で、胴回りの寸法の違いに対応することができ、帯結びが終了した後も残しておけるため、帯の形が崩れたり、着崩れるのを防ぐ帯結び補助具を提供すること。【解決手段】胴回りよりも長い伸縮紐２の一端にバックル状部材３を取り付け、伸縮紐２を折り返してバックル状部材３に摺動可能に通すと共に、伸縮紐２の他端に、伸縮紐２の折り返し部２’へ着脱可能に係止される係止具４を装着し、帯の下部裏面へ挟み込み可能としてある。【選択図】図１
0003119336.tif 000002
【実用新案登録請求の範囲】
【請求項１】
胴回りよりも長い伸縮紐の一端にバックル状部材を取り付け、前記伸縮紐を折り返して前記バックル状部材に摺動可能に通すと共に、前記伸縮紐の他端に、前記伸縮紐の折り返し部へ着脱可能に係止される係止具を装着し、帯の下部裏面へ挟み込み可能とした帯結び補助具。
【考案の詳細な説明】
【技術分野】
【０００１】
本考案は、帯結び補助具に関する。
【背景技術】
【０００２】
帯を一般的なお太鼓結びにする場合は、帯の一端部を背部上方へ持ち上げておき、残りの部分を胴に巻き付け、他端部と一端部とを結ぶか、金具を用いて止め付ける。
次いで、お太鼓となる端部の下端に帯枕を入れ、帯枕に巻いた帯揚を前に回して結ぶ。さらに、お太鼓となる端部を降ろして帯枕に被せた後、その先端をさらに内側に折り返してお太鼓と垂れを作る。次に、お太鼓の内部において折り返した部分の表面に、帯の手の側を折り畳んで重ね、その表面に帯締めを巻いて前で結び留める。
【０００３】
ところで、近年、着物を着る機会が少なくなっているため、上記のような複雑な手順をスムーズに行って、一人で帯を形良く結ぶことができる人は珍しくなっている。
また、帯結びの途中でお太鼓部分が型くずれしないよう仮紐で留めておくこともあるが、このような仮紐は通常の布製の紐なので、帯を押さえながら仮紐を結ぶのが非常に難しく、しかも、仮紐自体にほとんど伸縮性がないため、いったん締めてしまうと位置を変えることができない。
さらに、帯を結び終わると、仮紐は取り除いてしまうので、帯の緩みや着崩れを防ぐ役にはたたず、帯締めでしっかり固定していないとお太鼓がほどけてしまう。
【０００４】
また、従来、初心者であっても一人で帯を体裁良く結ぶことを可能とする帯結び補助具が知られている（特許文献１参照）。
しかし、このものは、帯山部分を位置ずれしないように保持しておくものであって、帯の胴に巻いた部分を帯結び途中で保持しておく仮紐は、最終的に取り除かなければならなかった。
【０００５】
【特許文献１】実用新案登録第３０１８４８８号公報
【考案の開示】
【考案が解決しようとする課題】
【０００６】
本考案は、帯結びの途中で帯の形を保持しておくことができ、帯の表面に巻いて簡単に止め付けることが可能で、胴回りの寸法の違いに対応することができ、帯結びが終了した後も残しておけるため、帯の形が崩れたり、着崩れるのを防ぐ帯結び補助具を提供することにある。
【課題を解決するための手段】
【０００７】
本考案の帯結び補助具は、胴回りよりも長い伸縮紐の一端にバックル状部材を取り付け、前記伸縮紐を折り返して前記バックル状部材に摺動可能に通すと共に、前記伸縮紐の他端に、前記伸縮紐の折り返し部へ着脱可能に係止される係止具を装着し、帯の下部裏面へ挟み込み可能としてある。
【考案の効果】
【０００８】
本考案によれば、帯の表面に巻き付けて係止具を伸縮紐の折り返し部へ係止するだけで、紐結びを行うことなく簡単に止め付けることができ、伸縮紐の折り返して二重にした部分の長さを変えることにより、使用者の胴回り寸法に対応できると共に、締め付け力を適当な強さに調節することが可能である。
また、帯結び途中で帯の形を保持することが可能なため、一人でも容易に形良く結ぶことができるだけでなく、帯を結び終わった後も、ずり降ろして帯の下部裏面へ挟み込んだ状態で装着しておけるので、お太鼓部分やおはしょりを押さえてすっきりと確実に保持し、この結果、帯の形が崩れたり、着崩れが発生するのを防ぐことができる。
【考案を実施するための最良の形態】
【０００９】
以下、本考案の実施例を図面に基づいて詳細に説明する。
図１に示すように、本考案の帯結び補助具１は、胴回りよりも長い伸縮紐２と、伸縮紐２の一端に取り付けられたバックル状部材３と、伸縮紐２の他端に装着された係止具４とから成る。
伸縮紐２は、幅１ｃｍ〜１．５ｃｍ程度、長さ９０ｃｍ〜１１０ｃｍ程度の、長手方向に伸縮するものである。
【００１０】
バックル状部材３は、伸縮紐１の幅よりやや幅広い四角形の枠体５の中央部に、幅方向に沿って棒材６を架設して成り、伸縮紐２の一端を棒材６に巻き付けて縫い止めることにより、バックル状部材３を伸縮紐２の一端に取り付けてある。
また、伸縮紐２の他端部は表面側へ折り返して、バックル状部材３の枠体５に裏面側から通し、さらに、棒材６の表面を通過して枠体５の裏面へ通してある。従って、伸縮紐２をバックル状部材３の枠体５に対して摺動させ、折り返して二重にした部分の長さを変えることにより、帯結び補助具１の長さを調節することができる。
【００１１】
係止具４は、伸縮紐２の幅よりやや幅広い取付環７と、取付環７の幅方向一側から他側に向けて、且つ、取付環７とやや間隔をあけて張り出したフック８とを一体に形成して成る。
そして、伸縮紐２の他端を取付環７に巻き付けて縫い止めることにより、係止具４を伸縮紐２の他端に取り付けてある。
また、係止具４のフック８は、伸縮紐２の折り返し部２’に係止可能であり、フック８を伸縮紐２の折り返し部２’に係止すると、帯結び補助具１を輪にすることができる。
【００１２】
図２〜図４には、この帯結び補助具１を用いて帯９をお太鼓に結ぶ手順を示す。
帯結び補助具１の全長は、胴回り寸法に応じて予め調節しておく。また、帯結び補助具１は帯９と類似した色のものを用いるのが望ましい。
胴に巻き付けた帯９の一端基部に帯枕をあてがい、図２に示すように、帯枕に巻いた帯揚げ１０を前で結び留め、帯９の一端部を降ろして帯枕に被せ、その先端部を内側に折り返してお太鼓１１と垂れ１２とを作る。ここまでは、従来と同様の手順で行う。
【００１３】
次いで、お太鼓１１の内部に帯結び補助具１を通して、帯９の表面に巻き付けると共に、前面において係止具４のフック８を伸縮紐２の折り返し部２’に係止し、お太鼓１１及び垂れ１２を帯結び補助具１によって上から押さえる。この時、帯結び補助具１がゆるいようであれば、長さを調節して、お太鼓１１及び垂れ１２をしっかり押さえ込むようにする。
次に、図３に示すように、帯結び補助具１をずり降ろし、帯９の下部裏面に挟み込んで隠す。帯結び補助具１をずり降ろしても、お太鼓１１及び垂れ１２の上に帯結び補助具１が巻きつけられているので、手を放してもお太鼓１１及び垂れ１２が解けることは無い。また、この状態では、お太鼓１１の内部から両側に延びた帯結び補助具１が、僅かに外部に露出している。
【００１４】
次いで、図４に示すように、帯９の他端部１３（手の側）を折り畳んで、お太鼓１１の内部に差し込むと共に、お太鼓１１と垂れ１２との折り返し部分の表面に重ねる。この時、お太鼓１１の両側において、帯結び補助具１の露出した部分に折り畳んだ他端部１３を被せて隠す。
そして、お太鼓１１の内部に帯締め１４を通して、折りたたんだ他端部１３の上に巻きつけ、前で結び止める。なお、お太鼓１１及び垂れ１２の形を支持する機能は帯結び補助具１が果たしているので、帯締め１４はゆるく結ぶだけでよい。
【００１５】
他端部１３をお太鼓１１内に折り込む作業、及び、帯締め１４を結ぶ作業は、お太鼓１１及び垂れ１２が帯結び補助具１によって保持されて手で押さえる必要が無いので、両手を用いて簡単に行うことができる。
また、帯結びが終了した後も、帯結び補助具１を取り外さずに残しておくため、帯９の型崩れや着崩れを防ぐことができる。
さらに、お太鼓１１及び垂れ１２は帯９の裏に隠れた帯結び補助具１によって保持されているので、痴漢に襲われても帯が解ける心配が無い。
【図面の簡単な説明】
【００１６】
【図１】本考案の実施例を示す帯結び補助具の斜視図。
【図２】本考案の帯結び補助具を用いた帯結び手順の第１段階を示す斜視図。
【図３】本考案の帯結び補助具を用いた帯結び手順の第２段階を示す斜視図。
【図４】本考案の帯結び補助具を用いた帯結び手順の第３段階を示す斜視図。
【符号の説明】
【００１７】
１  帯結び補助具
２伸縮紐
２’  折り返し部
３  バックル状部材
４  係止具
５  枠体
６  棒材
７  取付環
８  フック
９  帯
１０  帯揚げ
１１  お太鼓
１２  垂れ
１３  他端部
１４  帯締め
【図１】
0003119336.tif 000003
【図２】
0003119336.tif 000004
【図３】
0003119336.tif 000005
【図４】
0003119336.tif 000006